(57)【要約】【課題】ＴＤＭＡチャンネル長に制限を与えることなく最適の受信アンテナ系統を選択可能なダイバーシチ無線通信装置を提供する。【解決手段】複数の受信アンテナ系統ごとに、高速応答可能なＡＧＣループとして、受信アナログ信号用の利得制御部２２と対数検波器２３とＡ／Ｄ２４と一定期間に亘り積分する積分器２７と積分信号の中からピークレベルをＡＧＣ電圧として検出して保持するピークホールド回路部２８と利得制御部２２を制御するためのアナログ信号に変換するＤ／Ａ２５とを有し、かつ、利得制御部２２からの受信アナログ信号をデジタル化した後ベースバンドデータに変換するレートコンバージョン部２９と各受信アンテナ系統それぞれからのベースバンドデータを入力して、各受信アンテナ系統対応の前記ＡＧＣ電圧に基づいて、いずれかの受信アンテナ系統のベースバンドデータを選択して復調回路に出力する受信アンテナ切り替え部３０を有する。【選択図】図２
2008016989.tif 000002
【特許請求の範囲】
【請求項１】
複数の受信アンテナ系統により、複数のチャンネルフレームからなるＴＤＭＡ信号をそれぞれ受信し、受信電界強度に基づいて受信アンテナ系統を選択するダイバーシチ無線通信装置において、各チャンネルフレーム内のあらかじめ定めたタイミング範囲内で高速応答可能なＡＧＣループを、各受信アンテナ系統対応に設け、各ＡＧＣループを制御するＡＧＣ制御情報に基づいて、チャンネルフレームごとに有効とする受信アンテナ系統を決定することを特徴とするダイバーシチ無線通信装置。
【請求項２】
各ＡＧＣループの前記ＡＧＣ制御情報が、各受信アンテナ系統の受信電界強度に相当するＡＧＣ電圧であることを特徴とする請求項１に記載のダイバーシチ無線通信装置。
【請求項３】
前記ＡＧＣ電圧として、あらかじめ定めた所定の長さの積分時間の間の積分値を用いることを特徴とする請求項２に記載のダイバーシチ無線通信装置。
【請求項４】
各ＡＧＣループの前記ＡＧＣ制御情報を、各チャンネルフレーム内のあらかじめ定めた一部の期間の受信信号の受信電界強度のみに基づいて確定することを特徴とする請求項１ないし３のいずれかに記載のダイバーシチ無線通信装置。
【請求項５】
各チャンネルフレーム内の前記一部の期間が、各チャンネルフレームのガードタイム直後の先頭からあらかじめ定めた一定期間であることを特徴とする請求項４に記載のダイバーシチ無線通信装置。
【請求項６】
受信アンテナ系統対応に設置する前記ＡＧＣループが、アンテナで受信したアナログ信号の利得を制御するＡＧＣ、該ＡＧＣの出力を検波する検波器、該検波器の出力をデジタル信号に変換するＡ／Ｄ変換器、該Ａ／Ｄ変換器からのデジタル信号をあらかじめ定めた所定の長さの積分時間ごとに積分する積分器、該積分器から出力される１ないし複数の積分値の中からピークレベルをＡＧＣ電圧として検出して保持するピークホールド回路、該ピークホールド回路が保持した前記ＡＧＣ電圧を前記ＡＧＣを制御するためのアナログ信号に変換するＤ／Ａ変換器を含んで構成されていることを特徴とする請求項１ないし５のいずれかに記載のダイバーシチ無線通信装置。
【請求項７】
前記ＡＧＣから出力される受信アナログ信号をデジタル信号に変換して中間周波数帯域のベースバンドデータに変換するレートコンバージョン部を、各受信アンテナ系統対応に備え、かつ、各受信アンテナ系統対応の該レートコンバージョン部それぞれからのベースバンドデータを入力して、各受信アンテナ系統対応の前記ピークホールド回路それぞれが保持している前記ＡＧＣ電圧に基づいて、いずれかの受信アンテナ系統対応の前記レートコンバージョン部からのベースバンドデータを選択して、復調回路部へ出力する受信アンテナ切り替え部を備えていることを特徴とする請求項６に記載のダイバーシチ無線通信装置。
【請求項８】
前記受信アンテナ切り替え部が、各受信アンテナ系統対応の前記ピークホールド回路それぞれが保持している前記ＡＧＣ電圧のうち、最も高いＡＧＣ電圧に該当する受信アンテナ系統対応の前記レートコンバージョン部からのベースバンドデータを選択することを特徴とする請求項７に記載のダイバーシチ無線通信装置。
【請求項９】
前記受信アンテナ切り替え部が、各受信アンテナ系統対応の前記ピークホールド回路それぞれが保持している前記ＡＧＣ電圧を比較する際に、今までの受信アンテナ系統の切り替え履歴を示すヒステリシス特性を有する閾値を用いて比較することを特徴とする請求項７に記載のダイバーシチ無線通信装置。
【請求項１０】
前記ピークホールド回路が前記ＡＧＣ電圧として保持する際に、前記積分器の１ないし複数の積分値からピークレベルを検出する期間が、各チャンネルフレームのガードタイム直後の先頭からあらかじめ定めた一定期間であることを特徴とする請求項７ないし９のいずれかに記載のダイバーシチ無線通信装置。
【発明の詳細な説明】
【技術分野】
【０００１】
本発明は、ダイバーシチ無線通信装置に関し、特に、ＴＤＭＡ信号を受信する受信アンテナ系統を効果的に選択するダイバーシチ無線通信装置に関する。
【背景技術】
【０００２】
従来のダイバーシチ無線通信装置においては、例えば特許文献１の特開２００１−３４５７７９号公報「選択ダイバーシチを用いたＯＦＤＭ受信装置」にも記載されているように、信号制御情報と相関検出情報とにより設定された電力測定制御情報にしたがって積分周期や積分タイミングを切り替えながら受信信号の積分電力測定を行い、最も大きい積分電力結果が得られるアンテナを選択して、受信信号を復調するように構成している。
【特許文献１】特開２００１−３４５７７９号公報（第６−７頁）。
【発明の開示】
【発明が解決しようとする課題】
【０００３】
しかしながら、ＴＤＭＡ信号をダイバーシチ受信して最適の受信アンテナに切り替える従来の方式にあっては、受信電界強度をアナログ回路で十分な時間の間に亘って蓄積して平均化した後に、切り替えるべき受信アンテナを選択するという構成となっていた。この結果、ＴＤＭＡ信号の各ＴＤＭＡチャンネルの受信電界強度を適切に判断して、受信アンテナを選択することが難しく、ＴＤＭＡの各ＴＤＭＡチャンネルフレーム長に影響を及ぼし、ＴＤＭＡチャンネル数に制限が生じてしまうという課題があった。
【０００４】
本発明は、かかる課題に鑑みてなされたものであり、ＴＤＭＡ信号に対して選択性ダイバーシチを利用する条件下において、ＴＤＭＡチャンネル長に制限を与えることなく、最適の受信アンテナ系統を選択可能なダイバーシチ無線通信装置を提供することを、その目的としている。
【課題を解決するための手段】
【０００５】
前述の課題を解決するため、本発明によるダイバーシチ無線通信装置は、次のような特徴的な構成を採用している。
【０００６】
（１）複数の受信アンテナ系統により、複数のチャンネルフレームからなるＴＤＭＡ信号をそれぞれ受信し、受信電界強度に基づいて受信アンテナ系統を選択するダイバーシチ無線通信装置において、各チャンネルフレーム内のあらかじめ定めたタイミング範囲内で高速応答可能なＡＧＣループを、各受信アンテナ系統対応に設け、各ＡＧＣループを制御するＡＧＣ制御情報に基づいて、チャンネルフレームごとに有効とする受信アンテナ系統を決定するダイバーシチ無線通信装置。
（２）各ＡＧＣループの前記ＡＧＣ制御情報が、各受信アンテナ系統の受信電界強度に相当するＡＧＣ電圧である上記（１）のダイバーシチ無線通信装置。
（３）前記ＡＧＣ電圧として、あらかじめ定めた所定の長さの積分時間の間の積分値を用いる上記（２）のダイバーシチ無線通信装置。
（４）各ＡＧＣループの前記ＡＧＣ制御情報を、各チャンネルフレーム内のあらかじめ定めた一部の期間の受信信号の受信電界強度のみに基づいて確定する上記（１）ないし（３）のいずれかのダイバーシチ無線通信装置。
（５）各チャンネルフレーム内の前記一部の期間が、各チャンネルフレームのガードタイム直後の先頭からあらかじめ定めた一定期間である上記（４）のダイバーシチ無線通信装置。
（６）受信アンテナ系統対応に設置する前記ＡＧＣループが、アンテナで受信したアナログ信号の利得を制御するＡＧＣ、該ＡＧＣの出力を検波する検波器、該検波器の出力をデジタル信号に変換するＡ／Ｄ変換器、該Ａ／Ｄ変換器からのデジタル信号をあらかじめ定めた所定の長さの積分時間ごとに積分する積分器、該積分器から出力される１ないし複数の積分値の中からピークレベルをＡＧＣ電圧として検出して保持するピークホールド回路、該ピークホールド回路が保持した前記ＡＧＣ電圧を前記ＡＧＣを制御するためのアナログ信号に変換するＤ／Ａ変換器を含んで構成されている上記（１）ないし（５）のいずれかのダイバーシチ無線通信装置。
（７）前記ＡＧＣから出力される受信アナログ信号をデジタル信号に変換して中間周波数帯域のベースバンドデータに変換するレートコンバージョン部を、各受信アンテナ系統対応に備え、かつ、各受信アンテナ系統対応の該レートコンバージョン部それぞれからのベースバンドデータを入力して、各受信アンテナ系統対応の前記ピークホールド回路それぞれが保持している前記ＡＧＣ電圧に基づいて、いずれかの受信アンテナ系統対応の前記レートコンバージョン部からのベースバンドデータを選択して、復調回路部へ出力する受信アンテナ切り替え部を備えている上記（６）のダイバーシチ無線通信装置。
（８）前記受信アンテナ切り替え部が、各受信アンテナ系統対応の前記ピークホールド回路それぞれが保持している前記ＡＧＣ電圧のうち、最も高いＡＧＣ電圧に該当する受信アンテナ系統対応の前記レートコンバージョン部からのベースバンドデータを選択する上記（７）のダイバーシチ無線通信装置。
（９）前記受信アンテナ切り替え部が、各受信アンテナ系統対応の前記ピークホールド回路それぞれが保持している前記ＡＧＣ電圧を比較する際に、今までの受信アンテナ系統の切り替え履歴を示すヒステリシス特性を有する閾値を用いて比較する上記（７）のダイバーシチ無線通信装置。
（１０）前記ピークホールド回路が前記ＡＧＣ電圧として保持する際に、前記積分器の１ないし複数の積分値からピークレベルを検出する期間が、各チャンネルフレームのガードタイム直後の先頭からあらかじめ定めた一定期間である上記（７）ないし（９）のいずれかのダイバーシチ無線通信装置。
【発明の効果】
【０００７】
本発明のダイバーシチ無線通信装置によれば、以下に記載するような効果を奏することができる。
【０００８】
ＴＤＭＡチャンネルフレーム内のあらかじめ定めた所定タイミング範囲内で高速の応答性能を有するＡＧＣ（Auto Gain Control）ループを用いることにより、ダイバーシチ制御に要求されるフェージング問題が軽減されるので、ＴＤＭＡのチャンネル長を柔軟に選択することができる。よって、ユーザが使用可能なＴＤＭＡチャンネル数を増加することができる。また、高速のＡＧＣループに追従したダイバーシチ制御を行うことができることから、広帯域変調であるＯＦＤＭ（Orthogonal Frequency Division Multiplexing）やマルチキャリア変調等にも有効に利用することができる。
【０００９】
また、受信信号のピーク値の検出をあらかじめ定めた一定区間のみで行うことによって、受信アンテナ系統の切り替えによる復調データの不連続性を避けることができるとともに、各ＴＤＭＡチャンネルフレーム内での適正な選択性ダイバーシチ制御が可能となる。
【００１０】
さらに、分解能の高いＡ／Ｄ変換器およびＤ／Ａ変換器を用いることにより、わずかな受信感度の場合であっても安定して動作させることができ、受信アンテナ系統の選択を行うための閾値にヒステリシス特性を持たせることにより、受信アンテナ系統の切り替えが繰り返し発生することを容易に防止することができる。
【発明を実施するための最良の形態】
【００１１】
以下、本発明によるダイバーシチ無線通信装置の好適実施形態例について添付図を参照して説明する。
【００１２】
（実施例の構成）
本発明によるダイバーシチ無線通信装置は、高速のＡＧＣ（Auto Gain Control）制御に追従した選択性ダイバーシチ制御方式を実現するものであり、その特徴は、アナログＡＧＣとデジタルＡＧＣとからなる高速のＡＧＣループを形成して、各受信アンテナから受信するＴＤＭＡ信号の各チャンネルの電界強度をＡＧＣループのＡＧＣ制御情報を比較することにより、各受信アンテナの受信電界強度を適正に判別して、ダイバーシチ制御を行うものである。
【００１３】
図１は、本発明によるダイバーシチ無線通信装置の全体系統の一例を説明するための全体系統図である。図１の全体系統図においては、装置１〜Ｎに示す送信装置１８から送信されてくるＴＤＭＡ信号を、ダイバーシチ無線通信装置１０にて受信する様子を符号２０に示す時間−受信電力グラフにて示している。ここで、本実施例におけるダイバーシチ無線通信装置１０は、アンテナ１  １１ａ、アナログＡＧＣ部１２ａ、デジタルＡＧＣ部１３ａのアンテナ１系統と、アンテナ２  １１ｂ、アナログＡＧＣ部１２ｂ、デジタルＡＧＣ部１３ｂのアンテナ２系統と、の２つのアンテナ系統を備え、それぞれ、アナログＡＧＣ部１２ａ、デジタルＡＧＣ部１３ａとアナログＡＧＣ部１２ｂ、デジタルＡＧＣ部１３ｂとによって、高速の応答性能を有するＡＧＣループを形成している。
【００１４】
さらに、ダイバーシチ無線通信装置１０は、アナログＡＧＣ部１２ａ、アナログＡＧＣ部１２ｂからのそれぞれの出力信号を中間周波数帯のベースバンドデータに変換するレートコンバージョン部１４、レートコンバージョン部１４から出力されるアンテナ１系統とアンテナ２系統との２つの出力信号のいずれを用いるかを選択するダイバーシチ選択回路部１５、選択したレートコンバージョン部１４からの出力信号を復調する復調回路部１６、復調回路部１６内に存在する同期回路（図示していない）にて抽出した同期信号を基にして、あらかじめ定めた所定タイミングを保持するサンプルホールド回路１７を備えている。
【００１５】
サンプルホールド回路１７からのタイミング信号は例えばＴＤＭＡチャンネルフレームの先頭を示すＴＤＭＡチャンネルタイミング信号としてデジタルＡＧＣ部１３ａ，１３ｂに供給され、それぞれの受信信号のＴＤＭＡチャンネルタイミング時点におけるデジタルＡＧＣ１３ａ，１３ｂからの出力電圧データすなわちＡＧＣ電圧を抽出して、ダイバーシチ選択回路部１５に供給することによって、ダイバーシチ選択回路部１５は、ＴＤＭＡチャンネルタイミング時点におけるＡＧＣ電圧に基づいて、アンテナ１系統とアンテナ２系統との２つの出力信号のいずれを用いるかを選択する。
【００１６】
時間−受信電力グラフ２０に示す例においては、送信装置１８の装置１、装置４、装置Ｎ、・・・、装置３の順番にＴＤＭＡチャンネルのタイムスロットが割り当てられている例を示しており、装置１、装置４からのＴＤＭＡ信号までは、受信アンテナ２の受信レベル（受信電界強度）が受信アンテナ１よりも高く、装置Ｎ、・・・、装置３からのＴＤＭＡ信号になると、逆に、受信アンテナ１の受信レベル（受信電界強度）が受信アンテナ２よりも高くなっている場合を示している。
【００１７】
すなわち、本発明によるダイバーシチ無線通信装置は、複数の受信アンテナ系統（図１の場合は、２つの受信アンテナ系統）を用いて、広帯域変調であるＯＦＤＭ（Orthogonal
Frequency Division Multiplexing）やマルチキャリア変調のＴＤＭＡ信号を受信し、各受信アンテナで受信したＴＤＭＡ信号をそれぞれデジタル処理した後、復調するとともに、各受信アンテナから受信したＴＤＭＡ信号のチャンネルフレームのあらかじめ定めた所定タイミング範囲内で高速応答が可能なＡＧＣループのＡＧＣ制御情報（すなわち、各受信アンテナの受信レベル（受信電界強度）に相当するＡＧＣ電圧）を監視して、受信を有効とする受信アンテナ系統を決定して切り替えるように構成している。
【００１８】
図２は、本発明によるダイバーシチ無線通信装置の具体的な回路構成の一例を示すブロック構成図であり、図１のダイバーシチ無線通信装置１０におけるＴＤＭＡ信号の受信動作について、その詳細を、アンテナ１系統の回路ブロックを中心にして示したものであるが、他のアンテナ系統の回路ブロックも同様の構成からなっている。図２に示すように、ダイバーシチ無線通信装置１０は、各アンテナ系統ごとに（図２にはアンテナ系統１を示している）、アナログ部１０Ａとデジタル部１０Ｂとから構成されており、アナログ部１０Ａは、ＬＮＡ（Low Noise Amplifier：低雑音増幅回路）２１、利得制御部（ＡＧＣ）２２、対数検波器２３、Ａ／Ｄ（Ａ／Ｄ変換器）２４、Ｄ／Ａ（Ｄ／Ａ変換器）２５、Ａ／Ｄ（Ａ／Ｄ変換器）２６からなり、デジタル部１０Ｂは、積分器２７、ピークホールド回路部２８、受信１レートコンバージョン部２９、受信アンテナ切り替え部３０、同期回路３１を少なくとも含んで構成されている。
【００１９】
（実施例の動作の説明）
次に、図２のダイバーシチ無線通信装置１０を用いて、その動作例について詳細に説明する。ここで、以下の説明においては、受信信号波形として、広帯域マルチキャリア変調を利用した場合を例にとって説明する。アンテナ１、１１ａに受信した受信電波１は、ＬＮＡ２１にて増幅された後、利得制御部２２を介して、Ａ／Ｄ２６にてデジタル信号に変換されて、受信１レートコンバージョン部２９に対して出力される。受信１レートコンバージョン部２９では、Ａ／Ｄ２６から入力されてきたデジタル信号を中間周波数帯域の受信１レートコンバージョンデータ（ベースバンドデータ）に変換して、受信アンテナ切り替え部３０に出力する。
【００２０】
受信アンテナ切り替え部３０においては、アンテナ１系統のピークホールド回路部２８から出力されてくる受信１ピークデータとアンテナ２系統のピークホールド回路部（図示していない）から出力されてくる受信２ピークデータとの比較結果として、より高いピーク値を示すアンテナ系統を選択して、例えば、受信１ピークデータがより高いレベルにあった場合は、アンテナ１系統の受信１レートコンバージョン部２９からの受信１レートコンバージョンデータ、アンテナ２系統の受信２レートコンバージョン部（図示していない）からの受信２レートコンバージョンデータのうち、受信１レートコンバージョンデータを選択して、復調回路部１６へ出力する。
【００２１】
また、利得制御部２２によってアナログＡＧＣ制御された受信信号は、ダイバーシチ切り替えの判定処理をするための信号すなわちＡＧＣループのＡＧＣ制御情報（各受信アンテナの受信レベルに相当するＡＧＣ電圧）を高速に生成するために、対数検波器２３によって検波された後、Ａ／Ｄ２４によってデジタル信号に変換される。Ａ／Ｄ２４にて変換されたデジタル信号は、積分器２７によってあらかじめ定めた一定の積分時間に亘って積分されて、該積分時間における平均受信レベル（受信電界強度）が算出される。ここで、図３は、本発明の一例であるダイバーシチ無線通信装置１０の積分器２７における入力信号の積分動作の一例を説明するための説明図である。
【００２２】
図３に示すように、受信信号の受信レベルに相当する入力デジタル信号（ＡＧＣ電圧）をより正確に取得できるように、あらかじめ定めた一定の積分時間だけ入力デジタル信号を積分しており、例えば、サンプリング時刻ｔ０，ｔ１，ｔ２，ｔ３でそれぞれ出力する電圧データとして、各サンプリング時刻から積分時間Ｔの期間だけ遡った期間までのＤａｔａ（ｔ０），Ｄａｔａ（ｔ１），Ｄａｔａ（ｔ２），Ｄａｔａ（ｔ３）に関する積分値を出力する。積分器２７から出力される１ないし複数の電圧データ（積分値）は、ピークホールド回路部２８に供給され、ピークホールド回路部２８によって、その中の最も高い積分値（図３に示す例では、Ｄａｔａ（ｔ２）の積分値）を当該期間に対応するチャンネルフレームにおけるピークレベルすなわちＡＧＣ制御情報（当該受信アンテナ１、１１ａの受信レベルに相当するＡＧＣ電圧）として保持される。しかる後、Ｄ／Ａ２５によってアナログ制御信号に変換されて利得制御部２２にフィードバックされ、利得制御部２２の利得が制御される。
【００２３】
このように、ＬＮＡ２１から出力される受信信号は、利得制御部２２、対数検波器２３、Ａ／Ｄ２４、積分器２７、ピークホールド回路部２８、Ｄ／Ａ２５からなる高速な応答速度で動作可能なＡＧＣループにかけられて、利得の制御がなされるとともに、そのメイン波形がＡ／Ｄ２６にてデジタル信号に変換されて、受信１レートコンバージョン部２９に供給される。このＡＧＣループの応答性能は、積分時間Ｔおよびピークホールド回路部２８の動作期間としてあらかじめ定めた所定タイミング範囲内で極めて高速に動作可能な応答性能となっている。なお、ＡＧＣループの詳細については、当業者にとってはよく知られており、ここでのさらに詳細な説明については省略する。
【００２４】
ここで、ＡＧＣ電圧すなわち受信信号のピーク値の検出するピークホールド回路部２８が動作する動作期間は、受信アンテナ系統の切り替えによる復調データの不連続性を避けるとともに、各ＴＤＭＡチャンネルフレーム内での適正な選択性ダイバーシチ制御が可能となるように、ＴＤＭＡチャンネルフレーム内における一部の期間のみに限定するように設定されている。図４は、本発明の一例であるダイバーシチ無線通信装置１０のピークホールド回路部２８の動作期間の一例を説明するための説明図であり、受信ＴＤＭＡ信号の同期が確立された以降において、受信ＴＤＭＡ信号のピークレベルを検出するための動作期間（ピーク検出時間）の一例として、受信ＴＤＭＡ信号の各ＴＤＭＡチャンネルフレーム（ＴＤＭＡチャンネル１、ＴＤＭＡチャンネル２、ＴＤＭＡチャンネル３、ＴＤＭＡチャンネル４、・・・）の先頭部分のみで動作する例を示している。
【００２５】
また、ピークホールド回路部２８に保持された受信信号のピーク値（ＡＧＣ電圧）は、前述したように、Ｄ／Ａ２５を介して利得制御部２２にフィードバックされると同時に、受信１ピークデータとして受信アンテナ切り替え部３０にも供給される。受信アンテナ切り替え部３０は、アンテナ１系統のピークホールド回路部２８からの受信１ピークデータとアンテナ２系統のピークホールド回路部（図示していない）からの受信２ピークデータとの比較・判定結果として、例えばアンテナ１系統の受信１ピークデータがより高い受信レベルにあった場合には、当該ＴＤＭＡチャンネルフレームに関する以降の受信動作として、受信１レートコンバージョン部２９からの受信１レートコンバージョンデータを、図１の復調回路部１６へ供給するように切り替え制御するとともに、受信１レートコンバージョンデータから同期信号を検出するために同期回路３１にも供給される。
【００２６】
同期回路３１は、ガードタイム直後の受信１レートコンバージョンデータに含まれている同期信号を検出して、同期を確立するとともに、ピークホールド回路部２８において受信ピークレベルを保持する動作期間を指定するためのＴＤＭＡチャンネルタイミング信号を生成して、ピークホールド回路部２８に対して出力する。これによって、図４に示すように、ＴＤＭＡチャンネルフレームの一部の期間例えばＴＤＭＡチャンネルフレームの先頭の一部の期間において、当該期間に対応するチャンネルフレームにおけるピークレベルすなわちダイバーシチ制御のために必要とする要求区間内のＡＧＣ制御情報（受信アンテナの受信レベルに相当するＡＧＣ電圧）として出力することを可能とし、もって、受信アンテナ系統の切り替えによる復調データの不連続性を避けるとともに、各ＴＤＭＡチャンネルフレーム内での適正な選択性ダイバーシチ制御を可能とすることができる。
【００２７】
なお、同期が確立していない非同期時においては、アンテナ１系統、アンテナ２系統を自動的に順次切り替えて、いずれかのレートコンバージョンデータに基づいて、同期回路３１にて同期の確立を図る動作を繰り返すことにより、同期が確立した後に、前述のような、受信信号の受信レベルすなわちＡＧＣ電圧に関するピークデータの比較・判定動作を行うことにより、受信すべきアンテナ系統の選択動作を行う。
【００２８】
また、ＡＧＣループを形成するＡ／Ｄ２４、Ｄ／Ａ２５の分解能を高くすることにより、わずかな受信感度の場合であっても、ＡＧＣループを安定した状態で動作させることができ、受信アンテナ切り替え部３０におけるアンテナ系統の選択を行うための閾値に、ヒステリシス特性を持たせることも容易に可能になるので、受信アンテナ系統が繰り返し切り替わってしまうような不安定なハンチング切り替え動作の発生を防止することができる。
【００２９】
なお、ＴＤＭＡ信号の場合、各チャンネルフレームの干渉を防止するために各チャンネルフレーム間にガードタイムが用意される構成となっているので、このガードタイム期間で、利得制御部２２の利得は、フルゲイン状態に復帰している。高速の応答性能を有するＡＧＣループを利用する場合、ガードタイム期間が経過して受信信号波形が入力されてくると、時間の経過とともに、利得制御部２２の利得は、このフルゲイン状態からの減衰傾斜が大きくなり、図４に示したピーク検出時間の期間内で積分した１ないし複数の電圧データにおけるピークレベルを検出することにより、受信１レートコンバージョンデータ、受信２レートコンバージョンデータの２つの受信データのアンテナ系統のいずれかを、当該ＴＤＭＡチャンネルフレームを受信する適切な受信系として選択することができる。
【００３０】
（効果の説明）
以上説明したように、本発明においては、アナログＡＧＣ、デジタルＡＧＣからなり、ＴＤＭＡチャンネルフレーム内のあらかじめ定めた所定タイミング範囲内で高速の応答性能を有するＡＧＣループを用いることにより、ダイバーシチ制御に要求されるフェージング問題が軽減されるので、ＴＤＭＡのチャンネル長を柔軟に選択することができる。よって、ユーザが使用可能なＴＤＭＡチャンネル数を増加することができる。また、高速のＡＧＣループに追従したダイバーシチ制御を行うことができることから、広帯域変調であるＯＦＤＭやマルチキャリア変調等にも有効に利用することができる。
【００３１】
また、受信信号のピーク値すなわちＡＧＣ電圧のピーク値の検出をＴＤＭＡチャンネルフレーム内のあらかじめ定めた一定区間のみで行うことによって、受信アンテナ系統の切り替えによる復調データの不連続性を避けることができるとともに、各ＴＤＭＡチャンネルフレーム内での適正な選択性ダイバーシチ制御が可能となる。
【００３２】
さらに、分解能の高いＡ／Ｄ変換器及びＤ／Ａ変換器を用いることにより、わずかな受信感度の場合であってもＡＧＣループを安定して動作させることができ、受信アンテナ系統の選択の閾値にヒステリシス特性を持たせることにより、受信アンテナ系統の切り替えが繰り返し発生することも容易に防止可能となる。
【００３３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３４】
【図１】本発明によるダイバーシチ無線通信装置の全体系統の一例を説明するための全体系統図である。
【図２】本発明によるダイバーシチ無線通信装置の具体的な回路構成の一例を示すブロック構成図である。
【図３】本発明の一例であるダイバーシチ無線通信装置の積分器における入力信号の積分動作の一例を説明するための説明図である。
【図４】本発明の一例であるダイバーシチ無線通信装置のピークホールド回路部の動作期間の一例を説明するための説明図である。
【符号の説明】
【００３５】
１８            送信装置
１０            ダイバーシチ無線通信装置
１０Ａ          アナログ部
１０Ｂ          デジタル部
１１ａ          アンテナ１
１１ｂ          アンテナ２
１２ａ，１２ｂ  アナログＡＧＣ部
１３ａ，１３ｂ  デジタルＡＧＣ部
１４            レートコンバージョン部
１５            ダイバーシチ選択回路部
１６            復調回路部
１７            サンプルホールド回路部
２０            時間−受信電力グラフ
２１            ＬＮＡ
２２            利得制御部（ＡＧＣ）
２３            対数検波器
２４            Ａ／Ｄ（Ａ／Ｄ変換器）
２５            Ｄ／Ａ（Ｄ／Ａ変換器）
２６            Ａ／Ｄ（Ａ／Ｄ変換器）
２７            積分器
２８            ピークホールド回路部
２９            受信１レートコンバージョン部
３０            受信アンテナ切り替え部
３１            同期回路
【図１】
2008016989.tif 000003
【図２】
2008016989.tif 000004
【図３】
2008016989.tif 000005
【図４】
2008016989.tif 000006